(57)【特許請求の範囲】
【請求項１】
ｎ角形（ｎ≧３）となる屋根底面を構成する伸縮可能な複数の梁フレームと、各梁フレームの交点位置に両端ヒンジされ、かつ中間部をヒンジを介して折曲げ可能な複数の屋根フレームとからなる折畳み式仮設構造物であって、
前記屋根部を支持する梁フレームと、これと同様に各辺が伸縮可能な床フレームとを備え、床フレームの各交点と、梁フレームの各交点間をヒンジを介して長さ一定の複数の柱により連結したことを特徴とする折畳み式仮設構造物。
【請求項２】
前記各梁フレームは、最縮小時の底面の各辺長さを規制する固定パイプと、固定パイプの左右に出没可能に挿通され、各交点位置に一端固定された伸縮ロッドとを備え、
各固定パイプ上に屋根シートの巻取り機構を設け、屋根面に沿ってトラス状に形成された屋根シートの底辺を前記巻取り機構に連結するとともに、頂点を屋根フレームの中間ヒンジに連結したことを特徴とする請求項１に記載の折畳み式仮設構造物。
【発明の詳細な説明】
【０００１】
【発明の属する技術分野】
本発明は、仮設屋根などに用いられる折畳み式仮設構造物に関する。
【０００２】
【従来の技術】
催物などで屋外に仮設会場を作る場合には、一般に大型の仮設テント構造物が採用されている。この仮設テント構造物は、その骨組となるパイプ構造物を組立て、その周囲にシートを張る構造としたものが一般的である。
【０００３】
【発明が解決しようとする課題】
しかしながら、従来の仮設テント構造物では、特に大型のものにあっては高所作業を伴うこともあって、フレームの組立、解体作業、及びシートの展張や、取外し格納作業に多くの人手や時間を要するという課題があった。
【０００４】
本発明は、以上の課題を解決するものであり、その目的は、地表部での平面展開形状から各辺フレームを縮小するだけの作業により、立体構造物となり、その逆に各辺フレームを伸張することで、地表面に展開できるようにした折畳み式仮設構造物を提供するものである。
【０００５】
【課題を解決するための手段】
以上の目的を達成するため、本発明は、ｎ角形（ｎ≧３）となる屋根底面を構成する伸縮可能な複数の梁フレームと、各梁フレームの交点位置に両端ヒンジされ、かつ中間部をヒンジを介して折曲げ可能な複数の屋根フレームとからなる折畳み式仮設構造物であって、前記屋根部を支持する梁フレームと、これと同様に各辺が伸縮可能な床フレームとを備え、床フレームの各交点と、梁フレームの各交点間をヒンジを介して長さ一定の複数の柱により連結したことを特徴とする。従って、本発明では、各梁フレームを縮小した状態で、それぞれにヒンジされた屋根フレームがトラスを構成するとともに、中間ヒンジを棟部頂点として一カ所に集中し、各梁フレームを伸張した状態で、屋根フレームが梁フレームに沿って平面に展開されるといった、梁フレームの伸縮作用のみにより、各部材を平面展開形状からトラス立体形状に可逆的に形態を変化できるため、短時間で作業を完了できるとともに、構造物の立体形状を保持したまま、屋根部のみ開閉可能である。
【０００７】
さらに、前記各梁フレームは、最縮小時の底面の各辺長さを規制する固定パイプと、固定パイプの左右に出没可能に挿通され、各交点位置に一端固定された伸縮ロッドとを備え、各固定パイプ上に屋根シートの巻取り機構を設け、屋根面に沿ってトラス状に形成された屋根シートの底辺を前記巻取り機構に連結するとともに、頂点を屋根フレームの中間ヒンジに連結したことにより、フレームの組立解体と同時にシートの張設及び巻取り格納作業も同時におこなうことが出来、さらに作業効率が向上する。
【０００８】
【発明の実施の形態】
以下、本発明の好ましい実施の形態につき、添付図面を参照して詳細に説明する。図１は本発明の原理構成による基本的な実施形態を示すものであり、図中（ａ）は立体組立形状を、（ｆ）は展開形状を（ｂ）〜（ｅ）はその途中経過を示している。
【０００９】
図１（ａ）において、三角形状をなして連結された軸ＡＢ，ＢＣ，ＣＡは床フレームを構成し、図の斜線で示すように、敷地面に設置されている。これと同じく三角形状をなして連結された軸ＤＥ，ＥＦ，ＦＤは梁フレームを構成し、いずれの軸も伸縮可能な水平軸である。
【００１０】
床フレームと梁フレームを構成する各軸の交点間には一定寸法の柱を構成する軸ＡＥ，ＡＦ，ＢＦ，ＢＤ，ＣＤ，ＣＥによって両端がヒンジ結合され、それぞれの軸によって囲われる面をトラス状の壁面としている。なお、図中×印は伸縮可能軸を示し、丸印はヒンジ位置を示している。
【００１１】
さらに、梁フレームを構成する各軸の交点位置にはその中間部の交点Ｇで折曲げ可能にヒンジされた屋根部を構成する軸ＥＧＦ，ＦＧＤ，ＤＧＦが配置され、同図に示す立体組立形状においては、交点Ｇを棟部中心として一定の屋根勾配となるトラス状の屋根部を三面に形成している。
【００１２】
この屋根勾配は、梁フレームを構成する各軸の伸縮量に応じて計算でき、伸縮量が大きい場合は大きな傾斜勾配となり、また伸縮量が小さい場合には、傾斜勾配が小さいものとなる。いずれにおいても、完全に各軸が縮小した状態でその交点Ｇが一カ所に集合できるようになっている。
【００１３】
また、各軸ＥＧＦ，ＦＧＤ，ＤＧＦの両端ヒンジ点の自由度は１であり、屋根勾配を一定に保持すべく、傾斜状態に両端がヒンジされており、この結果、図示のごとく屋根部の組立状態から後述のごとく開放するまでの間、各軸は一定の傾斜角度で自立状態を保持しながらその高さを低くする。
【００１４】
従って、組立状態から、屋根部を開けるには、軸ＤＥ，ＥＦ，ＦＤを伸張させることにより、（ｂ），（ｃ）に示すように、屋根部は集合状態からそれぞれ軸ＥＧ”Ｆ，ＦＧＤ，ＤＧ’Ｆの三つに分れ、それぞれの中心Ｇ，Ｇ’，Ｇ”をヒンジ点として徐々に離れつつ屋根勾配を一定に保ちながらそれぞれのトラス形状を平坦化させる。
【００１５】
そして、（ｄ）に示すように、軸ＤＥ，ＥＦ，ＦＤが伸びきった状態では軸ＥＧ”Ｆ，ＦＧＤ，ＤＧ’Ｆもほぼ伸び切り、屋根部が全開状態となる。なお、この状態では柱を構成する軸ＡＥ，ＡＦ，ＢＦ，ＢＤ，ＣＤ，ＣＥは床フレームに対する梁フレームの伸張差によりねじれ状態に傾斜し、またこれによって構造物高さが低下するが、構造物壁面は保持された状態である。
【００１６】
次に、解体時には床フレームを構成する軸ＡＢ，ＢＣ，ＣＡを伸張すると、（ｅ）に示すように、構造物全体が広がる一方で、柱を構成する軸ＡＥ，ＡＦ，ＢＦ，ＢＤ，ＣＤ，ＣＥの傾斜度合が高まり、高さが低くなる。
【００１７】
次いで、最終的には、（ｆ）に示すように、軸ＡＢ，ＢＣ，ＣＡが伸び切ると各部材は完全に敷地面に平面形となって接地する。従って、以後の作業は、各部材をヒンジ点などから切り離せば、個々のフレームに解体され、撤収作業も容易となる。
【００１８】
また、組立時には、敷地上に（ｆ）に示すように展開状態に組立て、次いで各フレームを前記とは逆の手順により順次縮小させることで、（ａ）に示すような立体形状に組み上げることができる。
【００１９】
次に、図２は前記折畳式仮設み構造物における屋根部の開放形態を示すものである。まず（ａ）は前記と同様、屋根部全閉時の形態を示している。この状態から軸ＦＤのみを伸張することによって（ｂ）に示すように、屋根面三面のうち、一面の屋根部を構成する軸ＦＧＤが平坦化し、その面が開く。
【００２０】
次いで、軸ＤＥを伸張することにより、（ｃ）に示すように、もう一面の屋根面を構成する軸ＤＧＥが平坦化し、二面が開く。さらに軸ＥＦを伸張することにより、（ｄ）に示すように最後の屋根面を構成する軸ＥＧＦが平坦化し、全開状態となる。
【００２１】
以上のように、梁フレームを構成する各辺の軸の伸張により所望の位置の屋根面を単独で開閉することが出来るため、例えば、日照、風向きなどに応じて自然調光や換気などの空調に利用できる。
【００２２】
さらに、各柱及び梁、床の軸組によって形成される壁面は、伸張する辺に応じたよじれ状態となるため、大型の仮設構造物では、この壁面の内側に観客席などをしつらえることによって、観客席の方向や傾きを変更でき、その目的に応じて各屋根部の開閉を行うことも出来る。
【００２３】
なお、以上の実施形態では、屋根部の傾斜角度を一定としており、この結果、一辺の長さ変化により、他辺に配置されている屋根部間が離れてしまうことになるが、屋根勾配をその変化に応じて可変とし、一面のみ開いても他面は閉じているようにすることも可能であり、傾斜角度と伸張量を同期させることで達成できる。
【００２４】
また、伸縮のための駆動装置としては、大型仮設構造物の場合には、モータ、油圧シリンダなどの駆動機構を各伸縮位置に配置し、これらの機構を制御装置などに接続して制御することで、地表部での組立作業後は、自動的に組立て展開作業を行うことが出来る。
【００２５】
さらに、以上の実施形態では、基本構造として床面を三角形状としたが、四角形以上の多角形に拡張することができることは勿論である。
【００２６】
次に図３〜図５は、前記基本的実施形態の具体的構造例を示すものであり、図３は組立状態を、図４は展開途中経過を、図５は展開状態をそれぞれ示している。同図において、符号１０は連結部１２を介して正三角形状に水平枠組みされた前述の軸ＤＥ，ＥＦ，ＦＤに相当する梁フレーム、１４は各梁フレーム１０の交点位置にヒンジ１６を介して傾斜状態に両端ヒンジされ、かつ中央部を中間ヒンジ１８を介して折曲げ可能に連結した前述の軸ＥＧＦ，ＦＧＤ，ＤＧＦに相当する屋根フレームである。
【００２７】
各梁フレーム１０は、組立時における各辺長さを規制する固定パイプ２０と、固定パイプ２０の両端に出没可能に挿通され、他端を各連結部１２に固定された伸縮ロッド２２（図４，５参照）、及びこの伸縮ロッド２２をスライドさせるための図示しない駆動機構を備えている。
【００２８】
各固定パイプ２０上には屋根膜を構成する防水シート２４の巻取り、繰出し用のリトラクタ２６がそのほぼ全長に沿って配置されている。リトラクタ２６は、バネ圧などによりその回転軸を常時シート２４の巻取り側に付勢しているか、あるいは梁フレーム１０の伸縮に同期して回転させるための動力機構などを備えている。
【００２９】
シート２４は、組立時における屋根フレーム１４の形状に沿った三角形状にトリムされたもので、底辺をリトラクタ２６に連結され、頂点を屋根フレーム１４の中間ヒンジ１８に連結固定されている。従って、構造物が組立てられた状態では、図３に示すように、シート２４は各屋根フレーム１４の内側に沿って張設され、それぞれに屋根面を構成する。
【００３０】
以上の組立状態から各梁フレーム１０が伸張すると、図４に示すように、順次各屋根フレーム１４は平坦化し、同時にシート２４はリトラクタ２６に巻取られる。
【００３１】
以上により、本実施形態では、屋根部を構成するフレームの立上げと同時に、シートも展張され、フレームの展開と同時にシートが巻取り格納されることになり、さらに作業を迅速に行なうことが出来る。
【００３２】
なお、本実施形態では、柱及び床フレームを省略して説明したが、前記基本的実施形態と同様に壁面付きの構造とすることが出来る。
【００３３】
【発明の効果】
以上のように、本発明による折畳み式仮設構造物によれば、地表部での平面展開形状から各辺フレームを縮小するだけの作業により、立体構造物となり、その逆に各辺フレームを伸張することで、地表面に展開でき、仮設構造物の組立撤去作業時間を大幅に短縮できる。
【図面の簡単な説明】
【図１】（ａ）〜（ｆ）は本発明の基本的実施形態における組立状態から展開状態までの原理説明図である。
【図２】（ａ）〜（ｄ）は、同実施形態における屋根部の解放形態を示す原理説明図である。
【図３】実施形態における具体的構成例による、組立状態を示す斜視図である。
【図４】同展開途中経過を示す斜視図である。
【図５】同展開状態を示す斜視図である。
【符号の説明】
１０（軸ＤＥ，ＥＦ，ＦＤ）  梁フレーム
１４  （軸ＥＧＦ，ＦＧＤ，ＤＧＦ）屋根フレーム
１６  ヒンジ
１８  中間ヒンジ
２０  固定パイプ
２２  伸縮ロッド
２４  防水シート
２６  リトラクタ（巻取り機構）
ＡＢ，ＢＣ，ＣＡ  床フレーム（軸）
ＡＥ，ＡＦ，ＢＦ，ＢＤ，ＣＤ，ＣＥ  柱（軸）
【図１】
0003572991.tif 000002
【図２】
0003572991.tif 000003
【図３】
0003572991.tif 000004
【図４】
0003572991.tif 000005
【図５】
0003572991.tif 000006